【手続補正書】
【提出日】平成28年10月7日(2016.10.7)
【手続補正１】
【補正対象書類名】明細書
【補正対象項目名】０００７
【補正方法】変更
【補正の内容】
【０００７】
既存の内部に配置される鼻フィルターは、円錐状の装置及び平坦なフィルター装置に広く分類され得る。前者の利点は、例えば、米国特許又は特許出願のＵＳ２０５５８５５、ＵＳ７７４８３８３、ＵＳ２００７／０１９３２３３及びＵＳ２００５／０２０５０９５に開示されるように、柔軟性、安定した位置決め、ろ過のためのより大きな表面積及び快適さのレベルであると論じられている。後者の利点は、最小限の可視性、侵襲性及び使用の増大した快適さであると論じられている。
【手続補正２】
【補正対象書類名】明細書
【補正対象項目名】０００８
【補正方法】変更
【補正の内容】
【０００８】
実質的に平坦なフィルタータイプの装置は、カナダ特許出願のＣＡ２６５８９９４０、英国特許出願のＧＢ２２８９８４６、独国特許公開出願のＤＥ３９１４６０６Ａ１、日本国特許出願のＪＰ２００２−３４５９８６Ａ、独国実用新案のＤＥ２０２０１０００１２０３Ｕ１、米国特許及び出願のＵＳ２０４６６６４、ＵＳ２２８２６８、ＵＳ５３９２７７３、ＵＳ７１５６０９９、ＵＳ２００７／０２８３９６３、ＵＳ２００８／００８７２８６、ＵＳ２０１２／０１１１３３４、及び国際特許出願のＷＯ２００５／１２０６４５、ＷＯ２００９／０９７５５３、及びＷＯ２０１１／０４１９２１に開示される。
【手続補正３】
【補正対象書類名】明細書
【補正対象項目名】００７７
【補正方法】変更
【補正の内容】
【００７７】
フィルター要素は、有利には、織又は不織メッシュ型フィルターである。フィルター要素３を支持要素６に取り付ける種々の方法が存在し、これらに限定されないが、接着剤、溶接、溶融、レーザー技術及び鋳造を含む。
本発明の実施態様の一部を以下の項目［１］−［２４］に記載する。
［項目１］
左及び右の鼻孔の各々内の配置のために寸法化された左及び右の枠部（２ａ、２ｂ）を備える鼻フィルター（１）であって、
各枠部（２ａ、２ｂ）は、鼻フィルターが鼻に挿入されるときに鼻の正面の方に向けられるように構成された前方支持部（６ａ）備え、及び各枠部（２ａ、２ｂ）は、鼻フィルターが鼻に挿入されるときに鼻の背面の方に向けられるように構成された後方支持部（６ｂ）備え、
前方支持部（６ａ）及び後方支持部（６ｂ）はフィルター要素（３）を支持し、
各枠部（２ａ、２ｂ）は、前方支持部（６ａ）と後方支持部（６ｂ）との間の距離の柔軟な変化のために前方支持部（６ａ）を後方支持部（６ｂ）と接続する弾性手段を備える、鼻フィルター。
［項目２］
ａ）前方支持部（６ａ）は内側セグメント（１８ａ）を有し、及び後方支持部（６ｂ）は内側セクター（１６ａ）を有し；弾性手段は、内側セグメント（１８ａ）を内側セクター（１６ａ）と柔軟に接続する内側弾性部材（９’）を備え；それによって、内側セクター（１６ａ）、内側弾性部材（９’）、及び内側セグメント（１８ａ）が組み合わさって、鼻フィルターが鼻に挿入されるときに、中隔の方に向けられるように構成される枠部（２ａ、２ｂ）の内側を形成し；内側弾性部材（９’）は、内側セグメント（１８ａ）及び内側セクター（１６ａ）の間の距離の柔軟な変化のために構成される、
又は、
ｂ）前方支持部（６ａ）は側面セグメント（１８ｂ）を有し、及び後方支持部（６ｂ）は側面セクター（１６ｂ）を有し；弾性手段は、側面セグメント（１８ｂ）を側面セクター（１６ｂ）と柔軟に接続する側面弾性部材（８’）を備え；それによって、側面セクター（１６ｂ）、第２の弾性手段（８’）、及び側面セグメント（１８ｂ）が組み合わさって、鼻フィルターが鼻に挿入されるときに、鼻の側面部の方に向けられるように構成される枠部（２ａ、２ｂ）の側面側を形成し；側面弾性部材（８’）は、側面セグメント（１８ｂ）及び側面セクター（１６ｂ）の間の距離の柔軟な変化のために構成される、
又はａ）及びｂ）の両方である、
項目１に記載の鼻フィルター。
［項目３］
鼻フィルターが弛緩状態にあるとき、内側弾性部材（９’）は、内側セクター（１６ａ）及び内側セグメント（１８ａ）の間の弾性接続としての内側屈曲（９）を備える、項目２に記載の鼻フィルター。
［項目４］
前方支持部（６ａ）はフィルター要素（３）を支持するための前方支持面を有し；及び後方支持部（６ｂ）はフィルター要素（３）を支持するための後方支持面を有し、ここで前方支持面及び後方支持面は、フィルター要素（３）の直線状又は屈曲状のフィルター支持面を規定し；フィルター要素（３）の形状は、鼻フィルター（１）が弛緩状態にあるとき、このフィルター支持面に従い；内側屈曲（９）は、鼻フィルター（１）が弛緩状態にあるとき、フィルター支持面の外側に伸びる、項目３に記載の鼻フィルター。
［項目５］
内側屈曲（９）は、フィルターに対して相対的に下向き又は上向きに向けられる、項目４に記載の鼻フィルター。
［項目６］
内側屈曲（９）は、鼻フィルター（１）が鼻の中に挿入されるときに、下向きに向けられ、かつ底部を有する、項目５に記載の鼻フィルター。
［項目７］
各枠部（２ａ、２ｂ）の前方支持部（６ａ）は、鼻フィルターが鼻の中に挿入されるときに、鼻の正面の方に向けられるように構成される正面の点（２１ａ、２１ｂ）を有し；及び各枠部（２ａ、２ｂ）の後方支持部（６ｂ）は、鼻フィルターが鼻の中に挿入されるときに、鼻の背面の方に向けられるように構成される最背面の点（２２ａ、２２ｂ）を有し；２つの正面の点（２１ａ、２１ｂ）及び２つの最背面の点（２２ａ、２２ｂ）が、基準面（２３）に対して垂直な法線ベクトル（２９）を備える基準面（２３）を規定し；内側屈曲（９）は基準面に対してほぼ垂直である、項目４又は５又は６に記載の鼻フィルター。
［項目８］
内側屈曲（９）は、基準面（２３）の法線ベクトル（２９）からプラスマイナス２０度の範囲内である、項目７に記載の鼻フィルター。
［項目９］
内側弾性部材（９’）は、法線ベクトル（２９）と０〜２０度の間隔の角度（ｕ）を形成する方向（２６）を有する曲率半径を備える内側屈曲（９）を有する、項目７に記載の鼻フィルター。
［項目１０］
内側屈曲（９）は底部を有し、かつ内側屈曲（９）の底部での曲率半径は、法線ベクトル（２９）と０〜２０度の間隔の角度を形成する方向（２６）を有する、項目９に記載の鼻フィルター。
［項目１１］
２つの枠部（２ａ、２ｂ）は、柔軟で、実質的にＵ字型のブリッジ（４）によって接続され、該ブリッジは、鼻の内側中隔の両側に対し１つの脚（１４）で、鼻の鼻柱を横切り、かつ軟骨に対してブリッジ（４）を固定するための、底部（１２）と、該底部（１２）から伸びる２つの脚（１４）とを備え；内側屈曲（９）は、Ｕ字型ブリッジ（４）の脚（１４）の一部である又は併合する、項目２〜１０のいずれかに記載の鼻フィルター。
［項目１２］
前方支持部（６ａ）は側面セグメント（１８ｂ）を有し、及び後方支持部（６ｂ）は側面セクター（１６ｂ）を有し；弾性手段は、側面セグメント（１８ｂ）を側面セクター（１６ｂ）と柔軟に接続する側面弾性部材（８’）を備え；それによって、側面セクター（１６ｂ）、第２の弾性手段（８’）、及び側面セグメント（１８ｂ）が組み合わさって、鼻フィルターが鼻に挿入されるときに、鼻の側面部の方に向けられるように構成される枠部（２ａ、２ｂ）の側面側を形成し；側面弾性部材（８’）は、側面セグメント（１８ｂ）及び側面セクター（１６ｂ）の間の距離の柔軟な変化のために構成される、先の項目のいずれかに記載の鼻フィルター。
［項目１３］
鼻フィルター（１）が弛緩状態にあるとき、側面弾性部材（８’）は、側面セクター（１６ｂ）及び側面セグメント（１８ｂ）の間の弾性接続としての側面屈曲（８）を備える、項目１２に記載の鼻フィルター。
［項目１４］
前方支持部（６ａ）はフィルター要素（３）を支持するための前方支持面を有し；及び後方支持部（６ｂ）はフィルター要素（３）を支持するための後方支持面を有し、ここで前方支持面及び後方支持面は、フィルター要素（３）の直線状又は屈曲状のフィルター支持面を規定し；フィルター要素（３）の形状は、鼻フィルター（１）が弛緩状態にあるとき、このフィルター支持面に従い；側面屈曲（８）は、鼻フィルター（１）が弛緩状態にあるとき、フィルター支持面の外側に伸びる、項目１３に記載の鼻フィルター。
［項目１５］
側面屈曲（８）は、フィルターに対して相対的に下向き又は上向きに向けられる、項目１４に記載の鼻フィルター。
［項目１６］
側面屈曲（８）は、鼻フィルター（１）が鼻の中に挿入されるときに、下向きに向けられ、かつ底部を有する、項目１５に記載の鼻フィルター。
［項目１７］
各枠部（２ａ、２ｂ）の前方支持部（６ａ）は、鼻フィルターが鼻の中に挿入されるときに、鼻の正面の方に向けられるように構成される正面の点（２１ａ、２１ｂ）を有し；及び各枠部（２ａ、２ｂ）の後方支持部（６ｂ）は、鼻フィルターが鼻の中に挿入されるときに、鼻の背面の方に向けられるように構成される最背面の点（２２ａ、２２ｂ）を有し；２つの正面の点（２１ａ、２１ｂ）及び２つの最背面の点（２２ａ、２２ｂ）が、基準面（２３）に対して垂直な法線ベクトル（２９）を備える基準面（２３）を規定し；側面屈曲（８）は、基準面（２３）の法線ベクトル（２９）からプラスマイナス４５度の範囲内である、項目１４又は１５又は１６に記載の鼻フィルター。
［項目１８］
側面屈曲（８）は、法線ベクトル（２９）と０〜４５度の間隔の角度を形成する方向を有する曲率半径（２７）を有する、項目１７に記載の鼻フィルター。
［項目１９］
側面屈曲（８）は底部を有し、かつ側面屈曲（８）の底部での曲率半径（２７）は、法線ベクトル（２９）と０〜４５度の間隔の角度（Ｖ）を形成する方向（１１）を有する、項目１８に記載の鼻フィルター。
［項目２０］
前方支持部（６ａ）は側面セグメント（１８ｂ）を備え、及び後方支持部（６ｂ）は側面セクター（１６ｂ）を備え、側面セグメント（１８ｂ）及び側面セクター（１６ｂ）の両方が、鼻孔の側面内壁に対して配置されるように構成され、ここで、側面セグメント（１８ｂ）及び側面セクター（１６ｂ）は、側面セグメント（１８ｂ）及び側面セクター（１６ｂ）の間の隙間（１７）によって接続を断たれている、項目１〜１１のいずれかに記載の鼻フィルター。
［項目２１］
フィラメント要素（３）は、前方及び後方の支持部（６ａ、６ｂ）にまたがる面積よりも３％〜３０％大きく寸法化され、それによるフィルター要素（３）は、フィルター要素（３）を鼻孔の内壁に接触させ、かつ締め付けるために、またがる面積の外側に伸びる、先の項目のいずれかに記載の鼻フィルター。
［項目２２］
前方支持部（６ａ）は、鼻フィルターが鼻の中に挿入されるときに、鼻の正面の方に向けられるように構成される正面の点（２１ａ、２１ｂ）を有し；及び後方支持部（６ｂ）は、鼻フィルターが鼻の中に挿入されるときに、鼻の背面の方に向けられるように構成される最背面の点（２２ａ、２２ｂ）を有し；前方支持部（６ａ）は、フィルター要素（３）を支持するための前方支持面（６ａ’）を有し；及び後方支持部（６ｂ）は、フィルター要素（３）を支持するための後方支持面（６ｂ’）を有し、屈曲状態でフィルター要素（３）を支持するために、最背面の点（２２ａ、２２ｂ）から正面の点（２１ａ、２１ｂ）の曲線に沿って角度を測定したときに、前方支持面（６ａ’）が、後方支持面（６ｂ’）に対して相対的に５〜４０度の間隔の角度で曲げられる、先の項目のいずれかに記載の鼻フィルター。
［項目２３］
各枠部（２ａ、２ｂ）の前方支持部（６ａ）は、鼻フィルターが鼻の中に挿入されるときに、鼻の正面の方に向けられるように構成される正面の点（２１ａ、２１ｂ）を有し；及び各枠部（２ａ、２ｂ）の後方支持部（６ｂ）は、鼻フィルターが鼻の中に挿入されるときに、鼻の背面の方に向けられるように構成される最背面の点（２２ａ、２２ｂ）を有し；２つの正面の点（２１ａ、２１ｂ）及び２つの最背面の点（２２ａ、２２ｂ）が、基準面（２３）に対して垂直な法線ベクトル（２９）を備える基準面（２３）を規定し；後方支持部（６ｂ）は、内側セクター（１６ａ）及び側面セクター（１６ｂ）を有し、ここで、鼻フィルターが鼻の中に挿入されるときに、内側セクター（１６ａ）は中隔又はその近くであり、かつ側面セクター（１６ｂ）は鼻孔の側面壁又はその近くであり；後方支持部（６ｂ）は、内側セクター（１６ａ）から側面セクター（１６ｂ）の方向において下向き又は上向きの傾斜を有し；下向き又は上向きの傾斜は、法線ベクトル（２９）と４５〜８５度の間隔の角度を形成する、先の項目のいずれかに記載の鼻フィルター。
［項目２４］
フィルター要素（３）は実質的に平面である、先の項目のいずれかに記載の鼻フィルター。
【手続補正４】
【補正対象書類名】特許請求の範囲
【補正対象項目名】全文
【補正方法】変更
【補正の内容】
【特許請求の範囲】
【請求項１】
左及び右の鼻孔の各々内の配置のために寸法化された左及び右の枠部（２ａ、２ｂ）を備える鼻フィルター（１）であって、
各枠部（２ａ、２ｂ）は、鼻フィルターが鼻に挿入されるときに鼻の正面の方に向けられるように構成された前方支持部（６ａ）備え、及び各枠部（２ａ、２ｂ）は、鼻フィルターが鼻に挿入されるときに鼻の背面の方に向けられるように構成された後方支持部（６ｂ）備え、
前方支持部（６ａ）及び後方支持部（６ｂ）はフィルター要素（３）を支持し、
各枠部（２ａ、２ｂ）は、前方支持部（６ａ）と後方支持部（６ｂ）との間の距離の柔軟な変化のために前方支持部（６ａ）を後方支持部（６ｂ）と接続する弾性手段を備え；
ａ）前方支持部（６ａ）は内側セグメント（１８ａ）を有し、及び後方支持部（６ｂ）は内側セクター（１６ａ）を有し；弾性手段は、内側セグメント（１８ａ）を内側セクター（１６ａ）と柔軟に接続する内側弾性部材（９’）を備え；それによって、内側セクター（１６ａ）、内側弾性部材（９’）、及び内側セグメント（１８ａ）が組み合わさって、鼻フィルターが鼻に挿入されるときに、中隔の方に向けられるように構成される枠部（２ａ、２ｂ）の内側を形成し；内側弾性部材（９’）は、内側セグメント（１８ａ）及び内側セクター（１６ａ）の間の距離の柔軟な変化のために構成され；鼻フィルターが弛緩状態にあるとき、内側弾性部材（９’）は、内側セクター（１６ａ）及び内側セグメント（１８ａ）の間の弾性接続としての内側屈曲（９）を備え；前方支持部（６ａ）はフィルター要素（３）を支持するための前方支持面を有し；及び後方支持部（６ｂ）はフィルター要素（３）を支持するための後方支持面を有し、ここで前方支持面及び後方支持面は、フィルター要素（３）の直線状又は屈曲状のフィルター支持面を規定し；フィルター要素（３）の形状は、鼻フィルター（１）が弛緩状態にあるとき、このフィルター支持面に従い；内側屈曲（９）は、鼻フィルター（１）が弛緩状態にあるとき、フィルター支持面の外側に伸びる；
又は、
ｂ）前方支持部（６ａ）は側面セグメント（１８ｂ）を有し、及び後方支持部（６ｂ）は側面セクター（１６ｂ）を有し；弾性手段は、側面セグメント（１８ｂ）を側面セクター（１６ｂ）と柔軟に接続する側面弾性部材（８’）を備え；それによって、側面セクター（１６ｂ）、第２の弾性手段（８’）、及び側面セグメント（１８ｂ）が組み合わさって、鼻フィルターが鼻に挿入されるときに、鼻の側面部の方に向けられるように構成される枠部（２ａ、２ｂ）の側面側を形成し；側面弾性部材（８’）は、側面セグメント（１８ｂ）及び側面セクター（１６ｂ）の間の距離の柔軟な変化のために構成され；鼻フィルター（１）が弛緩状態にあるとき、側面弾性部材（８’）は、側面セクター（１６ｂ）及び側面セグメント（１８ｂ）の間の弾性接続としての側面屈曲（８）を備え；前方支持部（６ａ）はフィルター要素（３）を支持するための前方支持面を有し；及び後方支持部（６ｂ）はフィルター要素（３）を支持するための後方支持面を有し、ここで前方支持面及び後方支持面は、フィルター要素（３）の直線状又は屈曲状のフィルター支持面を規定し；フィルター要素（３）の形状は、鼻フィルター（１）が弛緩状態にあるとき、このフィルター支持面に従い；側面屈曲（８）は、鼻フィルター（１）が弛緩状態にあるとき、フィルター支持面の外側に伸びる；
又はａ）及びｂ）の両方である、鼻フィルター。
【請求項２】
内側屈曲（９）は、フィルターに対して相対的に下向き又は上向きに向けられる；又は側面屈曲（８）は、フィルターに対して相対的に下向き又は上向きに向けられる；又はその両方である、請求項１に記載の鼻フィルター。
【請求項３】
内側屈曲（９）は、鼻フィルター（１）が鼻の中に挿入されるときに、下向きに向けられ、かつ底部を有する；又は側面屈曲（８）は、鼻フィルター（１）が鼻の中に挿入されるときに、下向きに向けられ、かつ底部を有する；又はその両方である、請求項２に記載の鼻フィルター。
【請求項４】
各枠部（２ａ、２ｂ）の前方支持部（６ａ）は、鼻フィルターが鼻の中に挿入されるときに、鼻の正面の方に向けられるように構成される正面の点（２１ａ、２１ｂ）を有し；及び各枠部（２ａ、２ｂ）の後方支持部（６ｂ）は、鼻フィルターが鼻の中に挿入されるときに、鼻の背面の方に向けられるように構成される最背面の点（２２ａ、２２ｂ）を有し；２つの正面の点（２１ａ、２１ｂ）及び２つの最背面の点（２２ａ、２２ｂ）が、基準面（２３）に対して垂直な法線ベクトル（２９）を備える基準面（２３）を規定し；内側屈曲（９）は基準面に対してほぼ垂直である、請求項１又は２又は３に記載の鼻フィルター。
【請求項５】
内側屈曲（９）は、基準面（２３）の法線ベクトル（２９）からプラスマイナス２０度の範囲内である、請求項４に記載の鼻フィルター。
【請求項６】
内側弾性部材（９’）は、法線ベクトル（２９）と０〜２０度の間隔の角度を形成する方向を有する曲率半径を備える内側屈曲（９）を有する、請求項４に記載の鼻フィルター。
【請求項７】
内側屈曲（９）は底部を有し、かつ内側屈曲（９）の底部での曲率半径は、法線ベクトル（２９）と０〜２０度の間隔の角度を形成する方向を有する、請求項６に記載の鼻フィルター。
【請求項８】
２つの枠部（２ａ、２ｂ）は、柔軟で、実質的にＵ字型のブリッジ（４）によって接続され、該ブリッジは、鼻の内側中隔の両側に対し１つの脚（１４）で、鼻の鼻柱を横切り、かつ軟骨に対してブリッジ（４）を固定するための、底部（１２）と、該底部（１２）から伸びる２つの脚（１４）とを備え；内側屈曲（９）は、Ｕ字型ブリッジ（４）の脚（１４）の一部である又は併合する、請求項１〜７のいずれかに記載の鼻フィルター。
【請求項９】
前方支持部（６ａ）は側面セグメント（１８ｂ）を有し、及び後方支持部（６ｂ）は側面セクター（１６ｂ）を有し；弾性手段は、側面セグメント（１８ｂ）を側面セクター（１６ｂ）と柔軟に接続する側面弾性部材（８’）を備え；それによって、側面セクター（１６ｂ）、第２の弾性手段（８’）、及び側面セグメント（１８ｂ）が組み合わさって、鼻フィルターが鼻に挿入されるときに、鼻の側面部の方に向けられるように構成される枠部（２ａ、２ｂ）の側面側を形成し；側面弾性部材（８’）は、側面セグメント（１８ｂ）及び側面セクター（１６ｂ）の間の距離の柔軟な変化のために構成される、先の請求項のいずれかに記載の鼻フィルター。
【請求項１０】
各枠部（２ａ、２ｂ）の前方支持部（６ａ）は、鼻フィルターが鼻の中に挿入されるときに、鼻の正面の方に向けられるように構成される正面の点（２１ａ、２１ｂ）を有し；及び各枠部（２ａ、２ｂ）の後方支持部（６ｂ）は、鼻フィルターが鼻の中に挿入されるときに、鼻の背面の方に向けられるように構成される最背面の点（２２ａ、２２ｂ）を有し；２つの正面の点（２１ａ、２１ｂ）及び２つの最背面の点（２２ａ、２２ｂ）が、基準面（２３）に対して垂直な法線ベクトル（２９）を備える基準面（２３）を規定し；側面屈曲（８）は、基準面（２３）の法線ベクトル（２９）からプラスマイナス４５度の範囲内である、先の請求項のいずれかに記載の鼻フィルター。
【請求項１１】
側面屈曲（８）は、法線ベクトル（２９）と０〜４５度の間隔の角度を形成する方向を有する曲率半径（２７）を有する、請求項１０に記載の鼻フィルター。
【請求項１２】
側面屈曲（８）は底部を有し、かつ側面屈曲（８）の底部での曲率半径（２７）は、法線ベクトル（２９）と０〜４５度の間隔の角度（Ｖ）を形成する方向（１１）を有する、請求項１１に記載の鼻フィルター。
【請求項１３】
前方支持部（６ａ）は側面セグメント（１８ｂ）を備え、及び後方支持部（６ｂ）は側面セクター（１６ｂ）を備え、側面セグメント（１８ｂ）及び側面セクター（１６ｂ）の両方が、鼻孔の側面内壁に対して配置されるように構成され、ここで、側面セグメント（１８ｂ）及び側面セクター（１６ｂ）は、側面セグメント（１８ｂ）及び側面セクター（１６ｂ）の間の隙間（１７）によって接続を断たれている、請求項１〜８のいずれかに記載の鼻フィルター。
【請求項１４】
フィラメント要素（３）は、前方及び後方の支持部（６ａ、６ｂ）にまたがる面積よりも３％〜３０％大きく寸法化され、それによるフィルター要素（３）は、フィルター要素（３）を鼻孔の内壁に接触させ、かつ締め付けるために、またがる面積の外側に伸びる、先の請求項のいずれかに記載の鼻フィルター。
【請求項１５】
前方支持部（６ａ）は、鼻フィルターが鼻の中に挿入されるときに、鼻の正面の方に向けられるように構成される正面の点（２１ａ、２１ｂ）を有し；及び後方支持部（６ｂ）は、鼻フィルターが鼻の中に挿入されるときに、鼻の背面の方に向けられるように構成される最背面の点（２２ａ、２２ｂ）を有し；前方支持部（６ａ）は、フィルター要素（３）を支持するための前方支持面（６ａ’）を有し；及び後方支持部（６ｂ）は、フィルター要素（３）を支持するための後方支持面（６ｂ’）を有し、屈曲状態でフィルター要素（３）を支持するために、最背面の点（２２ａ、２２ｂ）から正面の点（２１ａ、２１ｂ）の曲線に沿って角度を測定したときに、前方支持面（６ａ’）が、後方支持面（６ｂ’）に対して相対的に５〜４０度の間隔の角度で曲げられる、先の請求項のいずれかに記載の鼻フィルター。
【請求項１６】
各枠部（２ａ、２ｂ）の前方支持部（６ａ）は、鼻フィルターが鼻の中に挿入されるときに、鼻の正面の方に向けられるように構成される正面の点（２１ａ、２１ｂ）を有し；及び各枠部（２ａ、２ｂ）の後方支持部（６ｂ）は、鼻フィルターが鼻の中に挿入されるときに、鼻の背面の方に向けられるように構成される最背面の点（２２ａ、２２ｂ）を有し；２つの正面の点（２１ａ、２１ｂ）及び２つの最背面の点（２２ａ、２２ｂ）が、基準面（２３）に対して垂直な法線ベクトル（２９）を備える基準面（２３）を規定し；後方支持部（６ｂ）は、内側セクター（１６ａ）及び側面セクター（１６ｂ）を有し、ここで、鼻フィルターが鼻の中に挿入されるときに、内側セクター（１６ａ）は中隔又はその近くであり、かつ側面セクター（１６ｂ）は鼻孔の側面壁又はその近くであり；後方支持部（６ｂ）は、内側セクター（１６ａ）から側面セクター（１６ｂ）の方向において下向き又は上向きの傾斜を有し；下向き又は上向きの傾斜は、法線ベクトル（２９）と４５〜８５度の間隔の角度を形成する、先の請求項のいずれかに記載の鼻フィルター。
【請求項１７】
フィルター要素（３）は実質的に平面である、先の請求項のいずれかに記載の鼻フィルター。